(57)【特許請求の範囲】
【請求項１】
間口方向に間隔を開けて配置され、建物躯体から張り出して設けられる、少なくとも二つの支持体と、
前記支持体の張り出し方向と交差する方向に延び、前記支持体に掛け渡される床材と、
を備えており、
前記各支持体は、それぞれ、建物躯体に固定されるブラケットと、前記ブラケットの少なくとも上面を覆うカバー材を有し、
前記ブラケットと前記カバー材との間に、スペーサーが設置され、
前記スペーサーの配置及び厚みの少なくともいずれか一方を変えることにより、一側妻部の後端隅部から、その対角位置となる他側妻部の前端隅部に向かって低くなる床勾配が前記床材の上面に形成される、
ことを特徴とするバルコニー。
【請求項２】
前記一側妻部の後端部に設置される前記スペーサーの厚みは、前記他側妻部の後端部に設置される前記スペーサーの厚みと同一であるとともに、前記一側妻部の前端部に設置される前記スペーサーの厚みよりも厚く、
前記他側妻部の前端部には、前記スペーサーが設置されていない、又は前記一側妻部の前端部に設置される前記スペーサーよりも厚みの薄い前記スペーサーが設置されている、
ことを特徴とする請求項１に記載のバルコニー。
【請求項３】
前記床面の他側妻部の前端隅部に、排水口が配置される、
ことを特徴とする請求項１又は２に記載のバルコニー。
【請求項４】
前記各支持体の前端部には前桁が掛け渡され、
前記前桁の長手方向には前桁横樋が設けられ、
前記前桁横樋には、前記床勾配に応じて、前記一方の支持体から前記他方の支持体へ向かって低くなる前桁側勾配が形設されるとともに、
前記前桁側勾配における低い側の端部に、前記排水口が形設される、
ことを特徴とする請求項１又乃至請求項３のいずれか一項に記載のバルコニー。
【請求項５】
前記前桁横樋は、前記前桁の見付面部の裏側に形設され、上方が開口される溝形状を有するものであり、
前記前桁横樋の上方に、前記床面の前端部が配置される、
ことを特徴とする請求項４に記載のバルコニー。
【請求項６】
前記前桁横樋の両端部に、ぞれぞれ、前記排水口が設けられる構成とする、
ことを特徴とする請求項４又は請求項５に記載のバルコニー。
【請求項７】
前記前桁の間口方向の両端部には、妻桁の前端部が接続され、
前記妻桁には、それぞれ妻桁横樋が設けられ、
前記妻桁横樋と、前記前桁横樋が連通される、
ことを特徴とする、請求項４乃至請求項６のいずれか一項に記載のバルコニー。
【請求項８】
前記妻桁横樋は、上方が開口される溝形状を有するものであり、前記妻桁横樋の上方に、前記床面の側端部が配置される、
ことを特徴とする、請求項７に記載のバルコニー。
【請求項９】
前記支持体の後端部には、前記前桁と平行に横架材が掛け渡され、
前記前桁の両端部と、前記横架材の両端部には、それぞれ、前記妻桁が掛け渡されることとし、前記支持体がバルコニーの全体荷重を支える強度部材として機能するように構成される、
ことを特徴とする、請求項７又は請求項８に記載のバルコニー。
【発明の詳細な説明】
【技術分野】
【０００１】
本発明は、建物外壁部に付設される金属製の架台を有するバルコニーに関する。
【背景技術】
【０００２】
従来、建物の家屋の外壁部から張り出すように床面が形設され、床面の周囲に安全柵などを立設してなるバルコニーやベランダなどが知られている。
【０００３】
また、例えば、特許文献１に示されるように、金属製の架台を有するバルコニーなどにおいては、一般的に、前桁と幅方向端部の妻桁から平面視略コ字状のフレームを構成し、このフレームを強度部材として床面にかかる荷重を支える構成としている。
【０００４】
また、特許文献１においては、前桁に取り付けた前桁側面化粧板に形設される前桁雨樋と、妻桁に取り付けた妻桁側面化粧板に形設される妻桁雨樋に対し、床面から雨水などが流れ落ちる構成としている。また、前桁雨樋と妻桁雨樋は連続しており、前桁雨樋に流れ落ちた雨水などは、左右の妻桁雨樋へと流入し、各妻桁雨樋の端部から排水されることとなっている。
【先行技術文献】
【特許文献】
【０００５】
【特許文献１】特許第３６５０９６４号明細書
【発明の概要】
【発明が解決しようとする課題】
【０００６】
しかし、特許文献１に開示されるような構成のバルコニーにおいては、床面に勾配が付けられていないため、床面の水はけが悪いという問題があった。
【０００７】
また、左右の妻桁雨樋において排水をする必要があり、各妻桁雨樋の端部に縦樋を設けるなどの必要がある。これに伴って、建物外壁面にも二箇所に縦樋を設ける必要が生じるものであった。
【０００８】
ここで、仮に木製の架台で構成されるバルコニーであれば、架台を構成する根太などの上面に勾配を付けることによって、その上に構成される床面に勾配を付けることも可能である。
【０００９】
しかし、金属製の架台で構成する場合において、根太そのものの上面に勾配をつけたものを作成することは、勾配の無いものを作成する場合と比較してコストが嵩むということが懸念される。また、製作精度にばらつきが生じることも懸念される。
【００１０】
また、仮に、特許文献１のような構成の場合において、単純に、家屋側から張り出し先端側に向かって低くなる勾配を設けた場合には、張り出し先端側へと水が流れ易くなって水はけの改善を図ることが可能となるが、この場合であっても、前桁雨樋の両端部からそれぞれ妻桁雨樋に水が流れ込むため、建物外壁面に二箇所に縦樋を設ける必要があることについての解決策にはならない。
【００１１】
また、仮に、特許文献１のような構成の場合において、単純に、一方の妻桁を低く設置することで、間口方向（バルコニーの幅方向）において勾配を設けた場合には、一方の妻側から他方の妻側へと水が流れ易くなるが、この場合では、低くなった妻側の床面と室内側床面の段差が必然的に大きくなることが懸念される。つまりは、バルコニーの床面と、これに連続する室内側床面との間の段差が大きくなってしまうことになる。また、二つの妻桁を異なる高さ位置に取り付けることに伴い、組立精度にばらつきが生じることも懸念される。
【００１２】
そこで、本発明は、以上の問題点に鑑み、金属製の架台を有するバルコニーにおいて、その床面において新規な勾配を構成することにより、水はけのよい構成を提案するものである。
【００１３】
また、本発明の他の課題は、排水箇所を一箇所にすることが可能な床面の構造を提案するものである。
【００１４】
また、本発明の他の課題は、金属製の架台を有するバルコニーにおいて、床面の勾配を形成することを可能とするための新規な架台の構成についても提案するものである。
【課題を解決するための手段】
【００１５】
本発明の解決しようとする課題は以上の如くであり、次にこの課題を解決するための手段を説明する。
【００１６】
即ち、請求項１に記載のごとく、間口方向に間隔を開けて配置され、建物躯体から張り出して設けられる、少なくとも二つの支持体と、前記支持体の張り出し方向と交差する方向に延び、前記支持体に掛け渡される床材と、を備えており、前記各支持体は、それぞれ、建物躯体に固定されるブラケットと、前記ブラケットの少なくとも上面を覆うカバー材を有し、前記ブラケットと前記カバー材との間に、スペーサーが設置され、前記スペーサーの配置及び厚みの少なくともいずれか一方を変えることにより、一側妻部の後端隅部から、その対角位置となる他側妻部の前端隅部に向かって低くなる床勾配が前記床材の上面に形成される、ことを特徴とするバルコニーとするものである。
【００１７】
また、請求項２に記載のごとく、前記一側妻部の後端部に設置される前記スペーサーの厚みは、前記他側妻部の後端部に設置される前記スペーサーの厚みと同一であるとともに、前記一側妻部の前端部に設置される前記スペーサーの厚みよりも厚く、前記他側妻部の前端部には、前記スペーサーが設置されていない、又は前記一側妻部の前端部に設置される前記スペーサーよりも厚みの薄い前記スペーサーが設置されている、こととする。
【００１８】
また、請求項３に記載のごとく、前記床面の他側妻部の前端隅部に、排水口が配置される、こととする。
【００２０】
また、請求項４に記載のごとく、前記各支持体の前端部には前桁が掛け渡され、前記前桁の長手方向には前桁横樋が設けられ、前記前桁横樋には、前記床勾配に応じて、前記一方の支持体から前記他方の支持体へ向かって低くなる前桁側勾配が形設されるとともに、前記前桁側勾配における低い側の端部に、前記排水口が形設される、こととする。
【００２１】
また、請求項５に記載のごとく、前記前桁横樋は、前記前桁の見付面部の裏側に形設され、上方が開口される溝形状を有するものであり、前記前桁横樋の上方に、前記床面の前端部が配置される、こととする。
【００２２】
また、請求項6に記載のごとく、前記前桁横樋の両端部に、ぞれぞれ、前記排水口が設けられる構成とするものである。
【００２３】
また、請求項7に記載のごとく、前記前桁の間口方向の両端部には、妻桁の前端部が接続され、前記妻桁には、それぞれ妻桁横樋が設けられ、前記妻桁横樋と、前記前桁横樋が連通される、こととするものである。
【００２４】
また、請求項８に記載のごとく、前記妻桁横樋は、上方が開口される溝形状を有するものであり、前記妻桁横樋の上方に、前記床面の側端部が配置される、こととするものである
【００２５】
また、請求項９に記載のごとく、前記支持体の後端部には、前記前桁と平行に横架材が掛け渡され、前記前桁の両端部と、前記横架材の両端部には、それぞれ、前記妻桁が掛け渡されることとし、前記支持体がバルコニーの全体荷重を支える強度部材として機能するように構成されることとしている。
【発明の効果】
【００２６】
本発明の効果として、以下に示すような効果を奏する。
【００２７】
即ち、請求項１に記載の発明においては、床勾配によって、床面の表面上の雨水などは、前端隅部に向かって流れることになって、雨水などが一箇所に集まり得る構成を実現できる。このようにして、床面の水はけを良好に確保することが可能となる。さらに、後端隅部を水平に設定することも可能となるため、バルコニーの床面と連続する室内側床面との間において、段差をなくす、若しくは、段差を小さくする、或いは、間口方向において均一な段差とすることが可能となる。また、スペーサーにて勾配を設定することにより、床面の床勾配を自由に設定することが可能となる。
また、ブラケットとカバー材との間に設置されるスペーサーにて勾配を設定することにより、床面の床勾配を自由に設定することが可能となる。
【００２９】
また、請求項３に記載の発明においては、床面の間口方向において排水口を一箇所とすることが可能となり、例えば、一方の妻桁の側にだけ、妻側横樋を設けることで、雨水などを排水可能な構成が実現できる。
【００３１】
また、請求項４に記載の発明においては、前桁側勾配によって前桁横樋内の雨水などを流すことが可能となって、前記排水口から雨水などを排出することが可能となる。
【００３２】
また、請求項５に記載の発明においては、前記床勾配によって雨水などを床面の前端部から前桁横樋内へと流れ込ませることが可能となる。
【００３３】
また、請求項６に記載の発明においては、前記床勾配の設定に伴って設定される前桁側勾配に応じて、いずれか一方の排水口を利用することで、前桁横樋内の雨水などを排水口から排出することができる。
【００３４】
また、請求項７に記載の発明においては、妻桁横樋に流れ込んだ水は、前桁横樋へと流れ込み、前記排水口から雨水などを排出することが可能となる。
【００３５】
また、請求項８に記載の発明においては、前記床勾配によって雨水などを床面の側端部から妻桁横樋内へと流れ込ませることが可能となる。
【００３６】
また、請求項９に記載の発明においては、支持体以外の他の部材である前桁、妻桁、横架材については、支持体と比較して高い曲げ剛性が必要なくなることから、前桁、妻桁、横架材について肉厚を薄くするなどの軽量化を図ることが可能となり、バルコニー全体の重量の軽量化を図ることが可能となる。
【図面の簡単な説明】
【００３７】
【図１】（ａ）は本発明の一実施形態にかかるバルコニーの全体概要について示す上面側斜視図、（ｂ）は本発明の一実施形態にかかるバルコニーの全体概要について示す底面側斜視図。
【図２】架台を構成する部材について説明する図。
【図３】架台の組立てについて説明する図。
【図４】ブラケットとカバー材にて構成する支持体について説明する図。
【図５】カバー材の上面につけられる勾配について説明する図。
【図６】床面の勾配について説明する図。
【図７】（ａ）は支持体と固定される箇所における前桁の断面の断面図、（ｂ）は根太と固定される箇所における前桁の断面の断面図。
【図８】前桁に形設される排水口について示す図。
【図９】妻桁の構成について示す断面図。
【図１０】（ａ）は一方の妻側に縦樋が配置される場合について示す図。（ｂ）は他方の妻側に縦樋が配置される場合について示す図。
【発明を実施するための形態】
【００３８】
次に、発明の実施の形態について図面を用いて説明する。
なお、本明細書中の説明において、配置関係の説明の便宜のため、バルコニーの配置される部位における家屋側を「後」とし、張り出し先端側を「前」とする。また、水平面内において前後方向と直交する方向を「間口方向」、「幅方向」、或いは、「左右方向」とする。また、間口方向の端部を「側端部」、或いは、「左右端部」とする。また、間口方向の中央に近い側、或いは、前後方向の中央に近い側を「内側」とし、間口方向の中央に遠い側、或いは、前後方向の中央に遠い側を「外側」とする。また、バルコニーの間口方向の端部に近い側を「妻」、或いは、「妻側」とする。また、「バルコニー」とは、建物側から張り出すようにして配置される床を有するものを広く含む概念であり、一般的に類似する用語として用いられる、「ベランダ」「テラス」なども含むものである。
【００３９】
図１（ａ）（ｂ）に示すごとく、バルコニー１においては、板状のデッキ材２・２（床材）が敷設されることで、床面３が形設される。また、床面３は家屋側から張り出すように設けられており、張り出し先端側において、前桁４が横方向に配置されるとともに、この前桁４の両端部から家屋側に向かう妻側の部位において、妻桁５・６が前後方向に配置される。このように構成されるバルコニー１は、戸建住宅のほか、集合住宅や施設建物などにも設置され得るものである。
【００４０】
また、図１（ａ）に示すごとく、前桁４、妻桁５・６には、それぞれ柵７・７・・・が立設され、これらの柵７・７・・・の上端を結ぶように笠木８が設けられる。なお、柵７・７・・・を設けるほか、透光性のあるパネルやパンチングパネルなどの板材を設ける形態とすることもできる。
【００４１】
また、図１（ｂ）に示すごとく、デッキ材２・２は、間口方向に長い長尺の板材であって、各デッキ材２・２を前後方向に並べて配置することによって、一連の床面３が構成されるようになっている。また、デッキ材２・２は、金属製の架台１０を構成する支持体１１・１２、根太１３・１３の上に配置されるようになっている。
【００４２】
また、図１（ｂ）に示すごとく、妻桁６の下方には、前側から後側に向かって低くなる勾配を付けて設けられる妻側横樋１８が配置されている。この妻側横樋１８の前端部は、詳しくは後述するが、前桁４の内部と連通されており、前桁４の内部に流れ込んだ雨水などが、妻側横樋１８を通過し、妻側横樋１８の後端部に接続される縦樋１７へと導かれるようになっている。
【００４３】
次に図２などを用いて架台１０の構成について説明する。
まず、図２及び図３に示すごとく、支持体１１・１２は、その後端側が建物の躯体側に対し固定されることで、支持体１１・１２の先端側が前方に張り出すようにして配置される。二つの支持体１１・１２は、間口方向に間隔を開けて配置され、二つの支持体１１・１２の後端部には、長尺の横架材１４が掛け渡される。また、二つの支持体１１・１２の前端部には、横架材１４と平行となるように長尺の前桁４が掛け渡される。
【００４４】
また、図２及び図３に示すごとく、二つの支持体１１・１２の両外側において、前後方向に妻桁５・６が配置され、この妻桁５・６が前桁４と横架材１４の間に掛け渡される。このようにして、前桁４、妻桁５・６、横架材１４の四辺にて取り囲まれる枠体（図３）が構成される。さらに、二つの支持体１１・１２の間においては、前後方向に根太１３・１３が配置され、この根太１３・１３が前桁４と横架材１４の間に掛け渡される。また、前桁４と妻桁５・６の端部は、コーナブロック１５・１６を介して接続される。
【００４５】
以上のようにして、図２及び図３に示すごとく、前桁４、支持体１１・１２、妻桁５・６、根太１３・１３、横架材１４、によって、バルコニーの架台１０が構成される。そして、この構成においては、前桁４、妻桁５・６、根太１３・１３、横架材１４によって構成される枠組みが、支持体１１・１２によって支えられる構成となっており、支持体１１・１２がバルコニーの全体荷重を支える強度部材として機能するように構成されるようになっている。
【００４６】
そして、このように、支持体１１・１２のみが強度部材として機能することで、他の前桁４や妻桁５・６などについては、支持体１１・１２と比較して高い曲げ剛性が必要なくなることから、前桁４や妻桁５・６などについて軽量化を図ることが可能となる。なお、本明細書にいう「金属製の架台１０」とは、少なくともバルコニーの床面を支えるための支持体１１・１２について、木材を用いずに金属を用いているものをいうものである。
【００４７】
また、図４に示すごとく、支持体１１は、建物の躯体側に固定されるブラケット１１Ａと、このブラケット１１Ａに対して固定されるカバー材１１Ｂの二つの部材を有する構成としている。ブラケット１１Ａは、建物躯体に固定される固定板部１１ａと、この固定板部１１ａから前方に突出する断面視略コ字状の長尺のアーム部１１ｂを有する構成としている。また、カバー材１１Ｂは、断面視略ロ字状の長尺の中空部材で構成され、その内部にアーム部１１ｂを挿入させるとともに、ボルトなどの固定部材１１ｃによってブラケット１１Ａに対して固定されるようになっている。なお、ブラケット１１Ａが固定される建物躯体の具体例としては、建物を構成する梁、桁、胴差し、柱、などが考えられる。
【００４８】
また、図４に示すごとく、ブラケット１１Ａは、鋼材などの高い曲げ剛性を発揮し得る部材にて構成される。これにより、バルコニー全体の荷重を支える強度部材として機能することができるようにしている。一方で、カバー材１１Ｂは、アルミ押出成形品などによって構成される。これにより、バルコニー全体の重量の軽量化が図られるようにしている。また、カバー材１１Ｂの側面には、固定用長孔１１ｄが形設されており、この固定用長孔１１ｄの幅を利用して、ブラケット１１Ａに対するカバー材１１Ｂの固定位置や角度が調整できるようになっている。そして、この調整によって、支持体１１全体としての建物躯体からの張り出し寸法（突出寸法）の設定や、後述する勾配（図５に示す勾配Ｋ１）の設定ができるようになっている。
【００４９】
また、図４に示すごとく、ブラケット１１Ａがカバー材１１Ｂの内部に挿入されることで、ブラケット１１Ａとカバー材１１Ｂが一体化され、ブラケット１１Ａがカバー材１１Ｂによって覆い隠される構成となり、図１（ｂ）に示すごとく、下側からバルコニー１を見上げた場合においては、梁１１について、ブラケット１１Ａが外観に現れずに、カバー材１１Ｂにて外観意匠が構成されることになり、シンプルな外観意匠を実現することができる。
【００５０】
また、図４に示すごとく、ブラケット１１Ａの上面１１ｅには、スペーサー１１ｆ・１１ｇが取り付けられ得る構成となっている。これにより、ブラケット１１Ａにカバー材１１Ｂが取り付けられた状態では、ブラケット１１Ａとカバー材１１Ｂの間にスペーサー１１ｆ・１１ｇが挟装されることで、このスペーサー１１ｆ・１１ｇの厚みの分だけ、カバー材１１Ｂの上面１１ｈの位置が高く設定される構成としている。
【００５１】
また、図５に示すごとく、支持体１１において、スペーサー１１ｆ・１１ｇは、それぞれブラケット１１Ａの上面１１ｅの後端部、前端部に配置され得るとともに、後側に配置されるスペーサー１１ｆの厚みを、前側に配置されるスペーサー１１ｇよりも厚く設定することにより、ブラケット１１Ａに固定されたカバー材１１Ｂの上面１１ｈにおいて、後端側から前端側に向かって低くなる勾配Ｋ１が形成されるようになっている。
【００５２】
また、図５に示すごとく、この勾配Ｋ１は、スペーサー１１ｆ・１１ｇの厚みによって適宜設定できるものとなっている。また、スペーサー１１ｆ・１１ｇの素材は、ゴムや樹脂などとするほか、金属などであってもよく、特に限定されるものではない。また、スペーサー１１ｆ・１１ｇの固定方法は、ボルトなどの固定具を用いる他、接着剤などを用いる形態としてもよい。また、各スペーサー１１ｆ・１１ｇは一枚で構成するほか、複数枚を積層して構成するものであってもよい。また、スペーサー１１ｆ・１１ｇは、ブラケット１１Ａの上面１１ｅに載置固定する形態とするほか、例えば、ブラケット１１Ａの側面から立ち上がってカバー材１１Ｂの内側天面を保持する構成とするなど、カバー材１１Ｂの高さを調整するための構成として、多くの構成が採用し得る。さらに、このスペーサー１１ｆ・１１ｇの設置箇所については、ブラケット１１Ａ側に設けるほか、カバー材１１Ｂ側に設ける、即ち、カバー材１１Ｂの中空部の内側天井面に挟着するなどの構成も考えられる。
【００５３】
また、図５に示すごとく、支持体１２においても、支持体１１と同様の構成とするものであるが、ブラケット１２Ａの後側にのみスペーサー１２ｆが配置されることとしている。これにより、ブラケット１２Ａに固定されたカバー材１２Ｂの上面１２ｈにおいて、後端側から前端側に向かって低くなる勾配Ｋ２が形成されるようになっている。
【００５４】
さらに、図５に示す構成において、支持体１２側のスペーサー１２ｆの厚みは、支持体１１側のスペーサー１１ｆの厚みと同一とされている。また、二つの支持体１１・１２のブラケット１１Ａ・１２Ａは、同一の高さ位置において、建物躯体に固定されるものとしている。
【００５５】
以上の構成により、図６に示すごとく、支持体１１の後端位置Ｐ１、前端位置Ｐ２、支持体１２の後端位置Ｐ３、前端位置Ｐ４の高さ関係が、後端位置Ｐ１・Ｐ３（Ｐ１とＰ３は同じ高さ）、前端位置Ｐ２、前端位置Ｐ４の順に低くなるように設定される。そして、このような高さ関係を実現する支持体１１・１２にデッキ材２・２を敷設することで、床面３において、その一側妻部の後端隅部Ｄ１から、その対角位置となる床面３の他側妻部の前端隅部Ｄ４に向かって低くなる床勾配Ｕ１が形成される。
【００５６】
そして、図６に示すごとく、以上の床勾配Ｕ１によって、床面３の表面上の雨水などは、前端隅部Ｄ４に向かって流れることになって、雨水などが一箇所に集まり得る構成を実現できる。このようにして、床面３の水はけを良好に確保することが可能となる。さらに、後端隅部Ｄ１・Ｄ３を水平に設定することも可能となるため、バルコニーの床面３と連続する室内側床面９との間において、段差をなくす、若しくは、段差を小さくする、或いは、間口方向において均一な段差とすることが可能となる。
【００５７】
なお、図６に示すごとく、この床勾配Ｕ１が形成されると同時に、床面３の一側妻部（支持体１１に近い側の妻部）において後端隅部Ｄ１から前端隅部Ｄ２に向かって低くなる妻桁側勾配Ｕ２、床面３の他側妻部（支持体１２に近い側の妻部）において後端隅部Ｄ３から前端隅部Ｄ４に向かって低くなる妻桁側勾配Ｕ３、床面３の前端部（前桁４の近傍）において前端隅部Ｄ２から前端隅部Ｄ４に向かって低くなる前桁側勾配Ｕ４が形成される。
【００５８】
また、図５において、スペーサー１１ｆ・１１ｇ・１２ｆの配置や、厚みを変えることによれば、勾配Ｋ１・Ｋ２が変更されることになり、これ応じて、図６に示される床勾配Ｕ１も変更されることになる。例えば、図５においてブラケット１２Ａ側にスペーサー１１ｆ・１１ｇを配置し、ブラケット１１Ａ側にスペーサー１２ｆを配置することによれば、図６において、他側妻部の後端隅部Ｄ３から、その対角位置となる床面３の一側妻部の前端隅部Ｄ２に向かって低くなる勾配を形設することが可能となる。
【００５９】
次に、図７（ａ）（ｂ）などを用いて前桁４の構成について説明する。
前桁４は、バルコニーの張り出し先端側において間口方向に設けられる長尺の部材であり、図７（ａ）の断面図に示されるように、外側面において見付面を構成する見付面部４１と、見付面部４１の上部において後方に延設される上面部４２と、上面部４２の後端部から下方へ延設される垂壁部４３と、見付面部４１の下部において後方へ延設される下面部４４と、下面部４４の後端部から上方へ延設される縦面部４５と、を有して構成される。
【００６０】
また、図７（ａ）に示すごとく、前桁４の見付面部４１において、その上下中途部には上側固定片部４１ａが後方に延設されている。また、前桁４の縦面部４５において、その上端部には下側固定片部４５ａが後方に延設されている。そして、上側固定片部４１ａ及び下側固定片部４５ａが、それぞれ、支持体１２（カバー材１２Ｂ）の先端部の上面１２ｔ・下面１２ｕに対し固定具４１ｂ・４５ｂにて固定されることで、前桁４が支持体１２に対して支持固定されるようになっている。
【００６１】
また、図７（ａ）に示すごとく、前桁４が支持体１２の先端部の前側に取り付けられることで、前桁４の外側面を構成する見付面部４１の外観によって、バルコニーの桁部分の意匠が構成されるようになっている。
【００６２】
また、図７（ａ）に示すごとく、支持体１２（カバー材１２Ｂ）の先端の下部には、支持上面部１２ｍと縦面部１２ｎを有する支持部材１２Ｃが設けられており、支持上面部１２ｍに対し前桁４の下面部４４が当接し、縦面部１２ｎに対し前桁４の縦面部４５が当接し得る構成となっている。
【００６３】
これにより、図８（ａ）に示すごとく、前桁４が支持部材１２Ｃに下から支えられ得る構成となっている。また、支持体１２に対する前桁４の固定時においては、前桁４を支持部材１２Ｃに仮置きすることが可能となり、固定具４１ｂ・４５ｂの締結作業が容易に行うことが可能となっている。また、支持部材１２Ｃの縦面部１２ｎに前桁４の縦面部４５を押し付けることで、支持部材１２Ｃに対する前桁４の位置決めを行うことが可能となり、施工精度のばらつきが抑えられるとともに、施工作業を容易に行うことが可能となる。
【００６４】
また、図７（ｂ）に示すごとく、前桁４の上側固定片部４１ａ及び下側固定片部４５ａは、根太１３の上面１３ｔ・下面１３ｕに対し固定具４１ｃ・４５ｃにて固定されるようになっている。これにより、前桁４が根太１３に対しても支持固定されるようになっている。
【００６５】
また、図７（ａ）に示すごとく、前桁４において、見付面部４１と、下面部４４と、縦面部４５の三つの面により、上方が開口される溝形状を構成する前桁横樋４６が形成される。この前桁横樋４６の上方には、デッキ材２の前端部２ａが配置され、床面３（デッキ材２）を伝う雨水などが、前端部２ａから前桁横樋４６内へと流れ込むようになっている。ここで、上述したように、床面３は床勾配Ｕ１（図６参照）を有するように構成されるため、床面３を構成する表面２ａの表面の雨水などは、矢印Ｌの方向へ流れ、随時前桁横樋４６へと案内されるようになっている。
【００６６】
また、図７（ａ）に示すごとく、本実施形態においては、前桁４の前桁横樋４６は、前記見付面部４１と、前記見付面部４１から後方に延設される下面部４４と、前記下面部４４の後部から上方に延設される縦面部４５と、から上方が開放される溝形状に構成されるものであり、これら見付面部４１、下面部４４、縦面部４５は、押出成形、若しくは、板金加工によって連続的に形成されることとするものである。
【００６７】
即ち、図７（ａ）に示すごとく、前桁横樋４６は、前桁４に別部材を取り付けて構成されるものではなく、押出成形（アルミや樹脂の押出成型など）や板金加工（折り曲げ加工など）によって、一体的に形設されるものである。これによれば、部品点数の削減が図られるとともに、前桁４の組立て手間も削減することが可能となる。
【００６８】
なお、本実施形態とは別の形態として、この前桁横樋４６を構成する部位を、前桁４と別部材にて設けることが考えられ、例えば、下面部４４と縦面部４５を有する略Ｌ字状の長尺部材が見付面部４１の裏面に付設されることで構成するものが考えられる。
【００６９】
また、図７（ａ）は、支持体１２に対する前桁４の固定部位について示すものであるが、支持体１１に対しても同様に前桁４が固定されるようになっている。そして、図６に示すごとく、上述したように、支持体１２の前端位置Ｐ４が支持体１１の前端位置Ｐ２よりも低い位置に配置されるため、支持体１１・１２に架設される前桁４については、支持体１１から支持体１２に向かって低くなる前桁側勾配Ｕ４を有するように配置されることになる。
【００７０】
そして、図６に示すごとく、前桁４が前桁側勾配Ｕ４を有して配置されることで、この前桁４に形成される前桁横樋４６についても、前桁側勾配Ｕ４を有することとなる。これにより、前桁横樋４６に流れ込む水を、支持体１１側から支持体１２側へと向かう方向（矢印Ｍで示す方向）へと流すことが可能となる。
【００７１】
また、図８に示すごとく、前桁４の下面部４４には、上下方向に貫通する排水口４４ａが形設されており、この排水口４４ａの位置において、下面部４４の下面に筒状のジョイント部材４７が固定される。このジョイント部材４７は、排水口４４ａ側が開口され、後部側には妻側横樋１８が接続される接続部４７ａを有している。
【００７２】
以上の構成により、図８に示すごとく、勾配を有する前桁横樋４６によって矢印Ｍの方向に流れる水が、排水口４４ａからジョイント部材４７へと流れ込み、妻側横樋１８へと案内されるようになっている。そして、妻側横樋１８は前側から後側に向かって低くなる勾配を有して設けられており、この妻側横樋１８を通して図示せぬ縦樋へと水が排水されるようになっている。
【００７３】
以上のように、本実施形態では、図７（ａ）（ｂ）及び図８に示すごとく、前桁４においては、その前桁４を構成する見付面部４１と、下面部４４と、縦面部４５によって前桁横樋４６が形設される。これにより、別の樋部材を用いて前桁横樋４６に対応するものを形設する必要が無く、部品点数の削減が図られる。
【００７４】
また、図７（ａ）（ｂ）に示すごとく、前桁横樋４６は、見付面部４１の裏側（後側）に形設されることで、前桁横樋４６が見付面部４１によって隠されることになり、前方からは前桁横樋４６を見え難くすることができる。また、別の樋部材の上下寸法が見付面部４１に加わらないため、前桁４全体としての上下寸法を小さく構成することができ、バルコニー全体として、床部分（前桁４）が薄い外観意匠を実現することが可能となって、すっきりとして軽快な印象を与えるデザインを実現することが可能となる。
【００７５】
なお、図７（ａ）（ｂ）に示す下面部４４の上下位置は、見付面部４１の最下位置と同一、若しくは、それよりも上とすることで、前桁横樋４６を見付面部４１の上下寸法内に収めることが可能となる。
【００７６】
また、図８に示される排水口４４ａは、前桁４において、妻桁６と接続される側の端部に設けられる他、妻桁６と反対側にある妻桁５（図６参照）に近い側の端部にも配置される。これにより、詳しくは後述するが、図１０（ｂ）のように、前桁側勾配Ｕ５が形成される場合において、妻桁５にジョイント部材４７、妻側横樋１８を設ける形態が可能となっている。つまりは、前桁４の両端部において排水口４４ａ（図８）が設けられる構成とするものである。また、使用しない側の排水口４４ａは、図示せぬ蓋などで閉じられるようになっている。
【００７７】
次に、図９などを用いて妻桁６の構成について説明する。
妻桁６は、底面部６３ａと、底面部６３ａの両側からそれぞれ立ち上がる縦面部６３ｂ・６３ｃを有する妻桁本体６３と、見付面部６４ａを有するカバー材６４にて主に構成される。妻桁本体６３は、前後方向に長い長尺の部材であって、この外側側面を覆うようにカバー材６４が妻桁本体６３に対して固定される。このような構成により、カバー材６４の見付面部６４ａの外観によって、バルコニーの妻側の意匠が構成されるようになっている。
【００７８】
また、図９に示すごとく、妻桁本体６３において、底面部６３ａと縦面部６３ｂ・６３ｃの三つの面により、上方が開口される溝形状を構成する妻桁横樋６５が形成される。この妻桁横樋６５の上方には、デッキ材２の側端部２ｃが配置され、床面３（デッキ材２）を伝う雨水などが、側端部２ｃから妻桁横樋６５内へと流れ込むようになっている。ここで、上述したように、床面３は床勾配Ｕ１（図６参照）を有するように構成されるため、床面３を構成する表面２ａの表面の雨水などは、矢印Ｎの方向へ流れ、随時妻桁横樋６５へと案内されるようになっている。
【００７９】
また、図９に示すごとく、妻桁本体６３の内側の縦面部６３ｂは、底面部６３ａよりも下方に延設されており、その端部から横方向に下側固定片部６３ｄが延設されている。この下側固定片部６３ｄは、前桁４の下側固定片部４５ａに対し、固定具６５ａにて固定されるようになっている。また、縦面部６３ｂの上端部には、横方向に上側固定片部６３ｅが延設されている。この上側固定片部６３ｅの上面に対し、デッキ材２の幅方向に形設された溝部２ｄの底面が、スペーサー６６を介して固定具６５ｂにて固定されるようになっている。また、妻桁本体６３の縦面部６３ｃの上端部には、横方向にカバー固定片部６３ｆが延設されている。このカバー固定片部６３ｆの上面に対し、上側カバー材６７の外側端部が固定具６５ｃによって固定される。上側カバー材６７は、デッキ材２の表面２ａの端部に被せ得るカバー面６７ａを有しており、このカバー面６７ａによって、妻桁横樋６５の上方の開放が塞がれるようになっている。
【００８０】
また、図９に示すごとく、妻桁本体６３の底面部６３ａには、上下方向に貫通する排水口６３ｇが形設されている。この排水口６３ｇは、前桁４の前桁横樋４６の上方に配置される。これにより、妻桁本体６３の前桁横樋４６と前桁４の前桁横樋４６が連通することとになり、妻桁本体６３の妻桁横樋６５に流れ込んだ水は、排水口６３ｇから前桁４の前桁横樋４６へと流れ込むようになっている。そして、このように前桁横樋４６に流れ込んだ水は、上述したように、前桁４の前桁横樋４６に形設される排水口４４ａからジョイント部材４７内へと流れ込み、妻側横樋１８へと排出される。
【００８１】
なお、図９の妻桁６の構成は、図２に示すごとく、他方の妻側に配置される妻桁５においても同様に適用されるものである。即ち、妻桁５・６は、同一の構成とするものであり、互いに水平面において１８０度回転させた関係で設けられるものである。
【００８２】
そして、図１０（ａ）（ｂ）に示すごとく、以上のようにして構成される妻桁５・６が、前桁４の両側端部に接続される状態で設けられる。図１０（ａ）の構成では、支持体１２側が支持体１１側よりも低くなる前桁側勾配Ｕ４が前桁４に形設されるため、前桁４においては、カバー材１２の側の妻桁６の端部に、ジョイント部材４７を設けるとともに、妻桁６の下方に妻側横樋１８を設ける構成とする。この妻側横樋１８の後部には、縦樋１７が接続される。
【００８３】
一方、図１０（ｂ）に示すように、支持体１１側が支持体１２側よりも低くなる前桁側勾配Ｕ５が形設されるように、図５のスペーサー１１ｆ・１１ｇ・１２ｆの配置を設定することによれば、前桁４に前桁側勾配Ｕ５をつけることができ、この場合、前桁４においては、支持体１１の側の妻桁５の端部に、ジョイント部材４７を設けるとともに、妻桁５の下方に妻側横樋１８を設ける構成とする。この妻側横樋１８の後部には、縦樋１７が接続される。
【００８４】
以上のように、図１０（ａ）（ｂ）に示すごとく、妻桁５・６のいずれか一方に妻側横樋１８を設けることで、バルコニーの床面３の排水を行うことが可能となる。また、妻桁５・６のいずれに妻側横樋１８を設ける構成とするかは、例えば、縦樋１７の配置の都合に応じて決めることができる。
【００８５】
即ち、例えば、建物外壁において、妻桁６の側にのみ縦樋１７が取り付けられ得る状況である場合には、図１０（ａ）の構成とすることで対応が可能であり、その逆の場合には、妻桁５の側にのみ縦樋１７を取り付けることで対応が可能となるのである。さらに、妻桁５・６のいずれの側にも縦樋１７が設置され得る場合には、図１０（ａ）（ｂ）のいずれか一方の形態を任意で選択することができる。若しくは、床面３に前桁側勾配Ｕ４・Ｕ５のいずれかの勾配をつけつつ、妻桁５・６の両方に妻側横樋１８、縦樋１７を設けることとしてもよい。
【００８６】
以上のように、図１０（ａ）（ｂ）に示すごとく、支持体１１・１２の設定（スペーサーの設定）によって床面３、及び、前桁４の前桁側勾配Ｕ４・Ｕ５を設定するとともに、前桁側勾配Ｕ４・Ｕ５の低い側の妻桁５・６に妻側横樋１８が設けられ得る構成とすることで、例えば、建物外壁における縦樋１７の配置の都合などに応じて、二つの妻桁５・６のうちから、妻側横樋１８を設けるものを自由に選択することが可能となる。
【００８７】
以上のようにして本発明を実施することができる。
即ち、図６に示すごとく、一側妻部の後端隅部Ｄ１から、その対角位置となる床面３の他側妻部の前端隅部Ｄ４に向かって低くなる床勾配Ｕ１が形成される床面３を有するバルコニーとするものである。
【００８８】
これにより、図６に示すごとく、床勾配Ｕ１によって、床面３の表面上の雨水などは、前端隅部Ｄ４に向かって流れることになって、雨水などが一箇所に集まり得る構成を実現できる。このようにして、床面３の水はけを良好に確保することが可能となる。さらに、後端隅部Ｄ１・Ｄ３を水平に設定することも可能となるため、バルコニーの床面３と連続する室内側床面９との間において、段差をなくす、若しくは、段差を小さくする、或いは、間口方向において均一な段差とすることが可能となる。
【００８９】
また、図６に示すごとく、前記床面３の他側妻部の前端隅部Ｄ４に、排水口４４ａが配置される構成とするものである。
【００９０】
これにより、図６に示すごとく、床面３の間口方向において排水口４４ａを一箇所とすることが可能となり、例えば、図１（ｂ）に示すごとく、一方の妻桁６の側にだけ、妻側横樋１８を設けることで、雨水などを排水可能な構成が実現できる。
【００９１】
また、図４乃至図６に示すごとく、前記床面３は、間口方向に間隔を開けて配置され、建物躯体から張り出して設けられる、少なくとも二つの支持体１１・１２にて支持されるものであり、前記支持体１１・１２は、それぞれ、建物躯体に固定されるブラケット１１Ａ・１２Ａと、前記ブラケット１１Ａ・１２Ａに固定されるカバー材１１Ｂ・１２Ｂを有し、前記各ブラケット１１Ａ・１２Ａと、前記各カバー材１１Ｂ・１２Ｂの間に、スペーサー１１ｆ・１１ｇ・１２ｆを挟装し、前記各カバー材１１Ｂ・１２Ｂの各上面１１ｈ・１２ｈの勾配Ｋ１・Ｋ２が設定されることで、前記床面３の床勾配Ｕ１が設定され得る構成とするものである。
【００９２】
これにより、図５及び図６に示すごとく、スペーサー１１ｆ・１１ｇ・１２ｆにて勾配Ｋ１・Ｋ２を設定することにより、床面３の床勾配Ｕ１を自由に設定することが可能となる。
【００９３】
また、図４に示すごとく、前記支持体１１・１２は、それぞれ、建物躯体に固定されるブラケット１１Ａ・１２Ａと、前記ブラケット１１Ａ・１２Ａに固定されるカバー材１１Ｂ・１２Ｂを有し、前記ブラケット１１Ａが前記カバー材１１Ｂの内部に挿入されることで、前記ブラケット１１Ａが前記カバー材１１Ｂによって覆い隠される構成とするものである。
【００９４】
これにより、図１（ｂ）に示すごとく、下側からバルコニー１を見上げた場合においては、支持体１１について、ブラケット１１Ａが外観に現れずに、カバー材１１Ｂにて外観意匠が構成されることになり、シンプルな外観意匠を実現することができる。
【００９５】
また、図６に示すごとく、前記各支持体１１・１２の前端部には前桁４が掛け渡され、前記前桁４の長手方向には前桁横樋４６が設けられ、前記前桁横樋４６には、前記床勾配Ｕ１に応じて、前記一方の支持体１１から前記他方の支持体１２へ向かって低くなる前桁側勾配Ｕ４が形設されるとともに、前記前桁側勾配Ｕ４における低い側の端部に、前記排水口４４ａが形設される、こととするものである。
【００９６】
これにより、図６に示すごとく、前桁側勾配Ｕ４によって前桁横樋４６内の雨水などを流すことが可能となって、前記排水口４４ａから雨水などを排出することが可能となる。
【００９７】
また、図７（ａ）（ｂ）に示すごとく、前記前桁４の前桁横樋４６は、前記前桁４の見付面部４１の裏側に形設され、上方が開口される溝形状を有するものであり、前記前桁４の前桁横樋４６の上方に、前記床面３を構成するデッキ材２の前端部２ａが配置される、こととするものである。
【００９８】
これにより、図７（ａ）（ｂ）に示すごとく、前記床勾配Ｕ１（図６参照）によって雨水などを床面３の前端部２ａから前桁横樋４６内へと流れ込ませることが可能となる。
【００９９】
また、図１０（ａ）（ｂ）に示すごとく、前記前桁４の前桁横樋４６の両端部に、ぞれぞれ、前記排水口４４ａが設けられる構成とするものである。
【０１００】
これにより、図１０（ａ）（ｂ）に示すごとく、前記床勾配Ｕ１の設定に伴って設定される前桁側勾配Ｕ４・Ｕ５に応じて、いずれか一方の排水口４４ａを利用することで、前桁横樋４６内の雨水などを排水口４４ａから排出することができる。
【０１０１】
また、図９及び図１０（ａ）（ｂ）に示すごとく、前記前桁４の間口方向の両端部には、妻桁５・６の前端部が接続され、前記妻桁５・６には、それぞれ妻桁横樋６５が設けられ、前記妻桁５・６に設けられる妻桁横樋６５と、前記前桁４に設けられる前桁横樋４６が連通される、こととするものである。
【０１０２】
これにより、図９に示すごとく、妻桁６の妻桁横樋６５に流れ込んだ水は、前桁４の前桁横樋４６へと流れ込み、前記排水口４４ａから雨水などを排出することが可能となる。
【０１０３】
また、図９に示すごとく、前記妻桁６の妻桁横樋６５は、上方が開口される溝形状を有するものであり、前記妻桁６の妻桁横樋６５の上方に、前記床面３を構成するデッキ材２の側端部２ｃが配置される、こととするものである。
【０１０４】
これにより、図９に示すごとく、前記床勾配Ｕ１（図６参照）によって雨水などを床面３の側端部２ｃから妻桁横樋６５内へと流れ込ませることが可能となる。
【０１０５】
また、図２及び図３に示すごとく、前記支持体１１・１２の後端部には、前記前桁４と平行に横架材１４が掛け渡され、前記前桁４の両端部と、前記横架材１４の両端部には、それぞれ、前記妻桁５・６が掛け渡されることとし、前記支持体１１・１２がバルコニーの全体荷重を支える強度部材として機能するように構成されることとしている。
【０１０６】
これにより、図２及び図３に示すごとく、支持体１１・１２以外の他の部材である前桁４、妻桁５・６、横架材１４については、支持体１１・１２と比較して高い曲げ剛性が必要なくなることから、前桁４、妻桁５・６、横架材１４について肉厚を薄くするなどの軽量化を図ることが可能となり、バルコニー全体の重量の軽量化を図ることが可能となる。
【０１０７】
また、図６、及び、図７（ａ）（ｂ）に示すごとく、見付面部４１の裏側に前桁横樋４６を有するバルコニーの前桁４であって、前記前桁４は、その一端側が低くなる前桁側勾配Ｕ４が付けられる状態で設けられることで、前記前桁横樋４６にも前記前桁側勾配Ｕ４が付けられる構成としている。
【０１０８】
これにより、図７（ａ）（ｂ）に示すごとく、前桁横樋４６が見付面部４１によって隠されることになり、前方からは前桁横樋４６を見え難くすることができるとともに、前桁側勾配Ｕ４によって前桁横樋４６の水を一方の端部側（妻桁側）へと流すことができ、前桁４に流れ込んだ雨水などの排水が行われ易い構成とすることができる。
【０１０９】
また、図７（ａ）（ｂ）に示すごとく、前記前桁横樋４６は、前記見付面部４１の上下寸法内に収められる、こととするものである。
【０１１０】
これにより、前記前桁横樋４６の上下寸法が見付面部４１に加わらないため、前桁４全体としての上下寸法を小さく構成することができ、バルコニー全体として、床部分（前桁４）が薄い外観意匠を実現することが可能となる。
【０１１１】
また、図６に示すごとく、前記前桁４は、前端の上下位置が異なるように設定される支持体１１・１２の前端部に掛け渡されることで、前記前桁側勾配Ｕ４が付けられる構成とする。
【０１１２】
これにより、図６に示すごとく、支持体１１・１２に前桁４を固定するだけで、前桁４に前桁側勾配Ｕ４を付けることが可能となる。
【０１１３】
また、前桁４の前桁横樋４６は、前記見付面部４１と、前記見付面部４１から後方に延設される下面部４４と、前記下面部４４の後部から上方に延設される縦面部４５と、から上方が開放される溝形状に構成されるものであり、これら見付面部４１、下面部４４、縦面部４５は、押出成形、若しくは、板金加工によって連続的に形成されることとするものである。
【０１１４】
これにより、部品点数の削減が図られるとともに、前桁４の組立て手間も削減することが可能となる。
【０１１５】
また、図８、及び、図１０（ａ）（ｂ）に示すごとく、前記前桁４の前桁横樋４６の両端部には、排水口４４ａがそれぞれ設けられ、前記前桁側勾配Ｕ４・Ｕ５における低い側の端部の排水口４４ａが使用され得る構成としている。
【０１１６】
これにより、図１０（ａ）（ｂ）に示すごとく、前記前桁側勾配Ｕ４・Ｕ５の設定に応じて、適宜、使用する排水口４４ａを選定することが可能となる。
【０１１７】
また、図２及び図３に示すごとく、前記前桁４を備えるバルコニーの架台１０であって、建物躯体から張り出すように設けられる支持体１１・１２と、前記支持体１１・１２の前端部に掛け渡される前桁４と、前記支持体１１・１２の後端部に掛け渡される横架材１４と、前記前桁４の両端部と前記横架材１４の両端部においてそれぞれ前後方向に掛け渡される妻桁５・６と、を有し、前記支持体１１・１２がバルコニーの全体荷重を支える強度部材として機能する、こととするものである。
【０１１８】
これにより、図２及び図３に示すごとく、前桁４については、支持体１１・１２と比較して高い曲げ剛性が必要なくなることから、前桁４について肉厚を薄くするなどの軽量化を図ることが可能となり、バルコニー全体の重量の軽量化を図ることが可能となる。
【産業上の利用可能性】
【０１１９】
本発明の構成のバルコニーは、戸建住宅のほか、集合住宅や施設建物などにも広く適用され得るものである。
【符号の説明】
【０１２０】
１    バルコニー
２    デッキ材
３    床面
４    前桁
５    妻桁
６    妻桁
１０    架台
１１    支持体
１１Ａ    ブラケット
１１Ｂ    カバー材
１１ｆ    スペーサー
１１ｇ    スペーサー
１２    支持体
１２Ａ    ブラケット
１２Ｂ    カバー材
１２ｆ    スペーサー
１３    根太
１４    横架材
１７    縦樋
１８    妻側横樋
４１    見付面部
４４ａ    排水口
４６    前桁横樋
６３    妻桁本体
６３ｇ    排水口
６５    妻桁横樋
Ｕ１    床勾配
Ｕ４    前桁側勾配
Ｕ５    前桁側勾配
【図１】
0005617090.tif 000002
【図２】
0005617090.tif 000003
【図３】
0005617090.tif 000004
【図４】
0005617090.tif 000005
【図５】
0005617090.tif 000006
【図６】
0005617090.tif 000007
【図７】
0005617090.tif 000008
【図８】
0005617090.tif 000009
【図９】
0005617090.tif 000010
【図１０】
0005617090.tif 000011